(57)【特許請求の範囲】
【請求項１】
光軸方向に可動の視度調整レンズを有する光学ファインダ；
回動操作される視度調整軸；及び
この視度調整軸の回動によって上記視度調整レンズを光軸方向に進退させる進退機構；
を有するファインダの視度調整装置において、
上記視度調整軸を分割してその一方を上記進退機構を有するカメラボディに回動可能に支持し、他方を該カメラボディに対して着脱可能なカバー部材に回動操作可能に支持し、
この一対の分割視度調整軸の対向面にそれぞれ、軸線に直交する面に対して傾斜し、軸線を中心とする特定の角度位置で互いに略平行になる連結傾斜面を形成し、
この一対の連結傾斜面の一方と他方にそれぞれ、上記特定角度位置で互いに係合する、軸線を通り長手方向が上記連結傾斜面の傾斜方向に延びる凸部と凹部を形成したことを特徴とするファインダの視度調整装置。
【請求項２】
請求項１記載の視度調整装置において、上記凸部と凹部は、上記連結傾斜面の略全面に渡って形成されているファインダの視度調整装置。
【請求項３】
請求項１または２記載の視度調整装置において、上記凸部と凹部の断面形状は楔形であるファインダの視度調整装置。
【請求項４】
請求項１ないし３のいずれか１項記載の視度調整装置において、上記連結傾斜面の軸線と直交する面に対する傾斜角は、１０°〜４０°であるファインダの視度調整装置。
【発明の詳細な説明】
【０００１】
【技術分野】
本発明は、ファインダの視度調整装置に関する。
【０００２】
【従来技術及びその問題点】
ファインダの視度調整装置は、視度調整レンズを光軸方向に進退させるため、視度調整軸を回動操作するタイプと、視度調整レバーをスライド操作するタイプとが知られている。視度調整軸を回動操作するタイプでは、その操作をする操作ノブは、通常、カメラの裏面の接眼窓の近傍に位置し、カメラボディの外装を構成するカバー部材に支持されている。カバー部材は、カメラボディの前後方向から被せるタイプと、上下方向（操作ノブの回転軸と直交する方向）から被せるタイプとがあり、前後方向から被せるカメラにおいては、カバー部材側に操作ノブを予め支持しておき、カバー部材をカメラボディに装着する際に、操作ノブとカメラボディ側に支持した視度調整軸とを連結する。この組立は比較的容易である。一方、カバー部材をカメラボディの上下方向から被せる場合には、カバー部材を被せた後、カメラボディ側の視度調整軸に連結される操作ノブをカバー部材に支持しなければならなかった。つまり、後者の場合はその構成上、カバー部材を被せる際に、操作ノブの回転軸とカム機構とを連結するのが困難であるため、予めカバー部材に操作ノブを装着することができず、組立を困難にしていた。
【０００３】
【発明の目的】
本発明は、カメラの上下方向からカバー部材を装着するカメラあっても、簡単かつ確実に組立を行うことができるファインダの視度調整装置を得ることを目的とする。
【０００５】
本発明のファインダの視度調整装置は、光軸方向に可動の視度調整レンズを有する光学ファインダ；回動操作される視度調整軸；及びこの視度調整軸の回動によって上記視度調整レンズを光軸方向に進退させる進退機構；を有するファインダの視度調整装置において、視度調整軸を分割してその一方を上記進退機構を有するカメラボディに回動可能に支持し、他方を該カメラボディに対して着脱可能なカバー部材に回動操作可能に支持し、この一対の分割視度調整軸の対向面にそれぞれ、軸線に直交する面に対して傾斜し、軸線を中心とする特定の角度位置で互いに略平行になる連結傾斜面を形成し、この一対の連結傾斜面の一方と他方にそれぞれ、上記特定角度位置で互いに係合する、軸線を通り長手方向が上記連結傾斜面の傾斜方向に延びる凸部と凹部を形成したことを特徴としている。
【０００６】
凸部と凹部は、連結傾斜面の全面に渡って形成することが好ましい。また凸部と凹部の断面形状は楔型とすることが好ましい。連結傾斜面の軸線に直交する面に対する傾斜角は、１０°〜４０°とすることが好ましい。
【０００７】
【発明の実施形態】
以下、本発明の実施形態について説明する。図１〜図６は本発明の第一の実施形態を示している。カメラ１０は、光軸方向に可動の視度調整レンズを有する光学ファインダ１４を備えたカメラであり、カメラボディ１１と上カバー部材１２とを有している。上カバー部材１２には、光学ファインダ１４の接眼窓２０が設けられ、この接眼窓２０の側部に、操作ノブ２１を有する回転軸（視度調整軸）２２が回転自在に支持されている。操作ノブ２１は、上カバー部材１２の外面に臨んでいる。回転軸２２は、図３〜図５に示すように、カメラ１０の内部への塵埃の進入を防ぐＯリング２３に貫入し、回転軸２２に形成した小径部２２ｃが、リテーナ２５のＵ字状部２５ａに係合して抜け止められている。リテーナ２５は、回転軸２２の一側に沿い該回転軸２２の遊びをとる弧状部２５ｂ（図４）を有しており、その一縁部２５ｃが上カバー部材１２の係止段部１２ａに係止されている。
【０００８】
回転軸２２の一端には、図３に示すように、回転軸２２の軸線に直交する面に対して傾斜した連結傾斜面２２ａが形成されていて、連結傾斜面２２ａには、回転軸２０の中心軸を通り、長手方向が連結傾斜面２２ａの傾斜方向に延びる凸部２２ｂが、連結傾斜面２２ａの略全面に渡って形成されている。凸部２２ｂの断面形状は楔形である。
【０００９】
カメラボディ１１側には、図６に示すように、ファインダの視度調整レンズ３１、及び視度調整レンズ３１をその光軸方法に進退するカム機構（進退機構）３２が備えられている。視度調整レンズ３１には直進筒３３が固定されており、この直進筒３３にはカムフォロア３４が一体に形成されている。この直進筒３３は、カメラボディ１１に、視度調整レンズ３１の光軸Ｏと平行にして固定されたガイドシャフト３５に摺動可能に直進案内されている。一方、カメラボディ１１に回転可能に支持された回転軸（視度調整軸）３６には、カム溝３７が形成されており、カムフォロア３４はカム溝３７に係合している。従って、回転軸３６が回転すると、カムフォロア３４がカム溝３７に沿って進退し、視度調整レンズ３１は光軸Ｏ方向に進退する。
【００１０】
回転軸３６の一端には、回転軸３６の軸線に直交する面に対して傾斜した連結傾斜面３６ａが形成されていて、連結傾斜面３６ａには、回転軸３６の中心を通り、長手方向が連結傾斜面３６ａの傾斜方向に延びる凹部３６ｂが、連結傾斜面３６ａの略全面に渡って形成されている。凹部３６ｂの断面形状は、凸部２２ｂに対応する楔形である。
【００１１】
回転軸２２と回転軸３６のそれぞれの連結傾斜面２２ａ、３６ａは、各回転軸の軸線と直交する面に対する傾斜角、及び、それぞれに形成した凸部２２ｂと凹部３６ｂの断面形状（楔形）が同一である。従って、回転軸２２と、回転軸３６は、それぞれの連結傾斜面が略平行となる角度位置（特定角度位置）で互いに係合する。
【００１２】
カメラ１０の組立時に、上カバー部材１２は上方向からカメラボディ１１に被せて装着される。このとき、回転軸２２の連結傾斜面２２ａはその凸部２２ｂが上下方向を向くように、回転軸３６の連結傾斜面３６ａはその凹部３６ｂが上下方向を向くように、そして、それぞれの連結傾斜面が略平行となるように、それぞれセットされる。従って、図４に示すように、回転軸２２と３６は、連結傾斜面２２ａと３６ａが互いに略平行になり、その凸部２２ｂと凹部３６ｂが互いに係合して連結される。回転軸２２と回転軸３６は、連結傾斜面２２ａ、３６ａで係合するため、両者に軸ずれが生じない。この連結傾斜面２２ａ、３６ａの軸線に直交する面に対する傾斜角は、１０°〜４０°とすることが好ましい。
【００１３】
以上のように、上カバー部材１２をカメラボディ１１に装着して、回転軸２２と回転軸３６を連結させた状態では、操作ノブ２１を回転させると、連結した回転軸２２と回転軸３６を介してカム機構３０が作動（回転）し、視度調整レンズ３１が光軸Ｏ方向に進退し、ファインダの視度調整を行うことができる。
【００１４】
図７は、視度調整レンズ３１を光軸方向に進退させるカム機構４０の別の実施形態を示す。このカム機構４０では、回転軸３６に大径部と小径部が形成され、その境界部分に斜面カム（端面カム）４１が形成されている。視度調整レンズ３１は、図７の紙面に対して垂直に突出した連動突起４２を有し、ガイド枠４３によって光軸Ｏ方向に直進案内されている。一方、斜面カム４１と視度調整レンズ３１の間には、固定軸４５に揺動アーム４４が回動可能に軸着されていて、揺動アーム４４の斜面カム４１側の一端は、不図示の付勢手段によって常時斜面カム４１に接触している。揺動アーム４４の視度調整レンズ３１側の他端は、二股部状によって連動突起４２に係合している。
【００１５】
回転軸３６の端面に、凹部３６ｂを有する連結傾斜面３６ａが形成されていること、及び上カバー部材１２側の回転軸２２をこの回転軸３６に連結する手順は、第一の実施形態と同じである。従って、この実施形態においても、組立状態において、操作ノブ２１を介して回転軸２２を回転させると、連結傾斜面２２ａと３６ａ及び凸部２２ｂと凹３６ｂによって連結されている回転軸３６が回転する。すると、回転軸３６の斜面カム４１にその一端部が係合している揺動アーム４４が固定軸４５を支点として揺動し、二股部に係合した連動突起４２を介して視度調整レンズ３１が光軸Ｏ方向に進退する。すなわち、ファインダの視度調整を行うことができる。
【００１６】
以上は、視度調整レンズ３１をその光軸方向に進退させる進退機構をカム機構としたが、カム機構に限らず、例えば送りネジ機構としてもよい。
【００１７】
以上のように、本実施形態のカメラ１０は、操作ノブ２１に接続された回転軸２２と、カム機構３２（４０）に接続された回転軸３６とを、簡単かつ確実に連結可能な構成としため、カメラ１０の上下方向からカバー部材を装着する構成であっても、簡単に組立を行うことができる。
【００１９】
【発明の効果】
本発明によれば、カメラの上下方向からカバー部材を装着するカメラあっても、簡単かつ確実に組立を行うことができるファインダの視度調整装置が得られる。
【図面の簡単な説明】
【図１】本発明によるファインダの視度調整装置を有するカメラの全体を示す図である。
【図２】同カメラの操作ノブ近傍を示す背面図である。
【図３】同カメラの上カバー部材の操作ノブ近傍を示す断面図である。
【図４】上カバー部材をカメラボディに装着した状態を示す断面図である。
【図５】図４の矢印Ｘ方向から見た矢視図である。
【図６】ファインダの視度調整装置のカム機構を示す図である。
【図７】ファインダの視度調整装置の別のカム機構を示す図である。
【符号の説明】
１０  カメラ
１１  カメラボディ
１２  上カバー部材（カバー部材）
１４  光学ファインダ
２０  ファインダ窓
２２  回転軸
２２ａ  連結傾斜面
２２ｂ  凸部
３６  回転軸
３６ａ  連結傾斜面
３６ｂ  凹部
３１  視度調整レンズ
３２  カム機構
【図１】
0003958487.tif 000002
【図２】
0003958487.tif 000003
【図３】
0003958487.tif 000004
【図４】
0003958487.tif 000005
【図５】
0003958487.tif 000006
【図６】
0003958487.tif 000007
【図７】
0003958487.tif 000008